(57)【特許請求の範囲】
【請求項１】
海中に吊下げられている貝類付きロープ、養殖籠付きロープ、海中の昆布等の被洗浄物を海中から船上に引上げる被洗浄物引上げガイドにおいて、
前記被洗浄物引上げガイドは上側回転体と下側回転体の外周に巻かれた網が前記両回転体の回転により回転する回転コンベアであり、
前記網は縦横に網目があり、網目の孔は海中から引上げる被洗浄物が落ち込んでスリップするのを防止することが可能な滑り止め空間であり、網目の外周縁は前記被洗浄物が係止可能な滑り止め突起であり、
前記回転コンベアはその下端側が船上から海面に向けて下り傾斜に海上に突設するように船又は船上の洗浄機に取り付け可能であり、上端側が船の少なくとも側面上縁よりも上に設置され、下端側が海面の近く又は海中に入れて設置できる長さである、
ことを特徴とする被洗浄物引上げガイド。
【請求項２】
請求項１記載の被洗浄物引上げガイドにおいて、
回転コンベアの下側（海側）が、回転コンベアが設置される船側に向けて湾曲又は屈曲している、
ことを特徴とする被洗浄物引上げガイド。
【請求項３】
請求項１又は請求項２記載の被洗浄物引上げガイドにおいて、
回転コンベアが、上側回転体と下側回転体の間であって、前記両回転体の外周に巻かれた網の上走行部の内側にその上走行部をその下方（内側）から支持して上走行部の弛みを防止可能な外側保持ガイドを、網の下走行部の外側にその下走行部をその下方（外側）から支持して下走行部の弛みを防止可能な内側保持ガイドを備えた、
ことを特徴とする被洗浄物引上げガイド。
【請求項４】
請求項１から請求項３のいずれか１項に記載の被洗浄物引上げガイドにおいて、
回転コンベアが、その下端側が海面の近くに設置されている状態又は海中に入れてある状態から、当該下端側を上方に上げて船側に回動回転可能である、
ことを特徴とする被洗浄物引上げガイド。
【請求項５】
海中に吊下げられている被洗浄物を海中から船上に引上げながら洗浄装置で洗浄する被洗浄物引上げ洗浄装置において、
被洗浄物を海中から船上に引上げる被洗浄物引上げガイドと、引上げた被洗浄物を船上で洗浄する洗浄機を備え、
前記被洗浄物引上げガイドは請求項１から請求項４のいずれか１項に記載の被洗浄物引上げガイドであり、その上端側が船の少なくとも側面上縁よりも上であって、船上に設置された洗浄機の入口と同じ高さ（略同じ高さを含む）に設置され、下端側が海面に向けて下り傾斜に海上に突設され、その下端側が海面近くになるように又は海中に入るように船又は前記洗浄機に取り付けられ、
前記洗浄機は前記被洗浄物引上げガイドで海中から引上げられた被洗浄物を引き込んで搬送する搬送体と、搬送中に被洗浄物に洗浄液を噴射する噴射体を備えた、
ことを特徴とする被洗浄物引上げ洗浄装置。
【請求項６】
請求項５記載の被洗浄物引上げ洗浄装置において、
被洗浄物引上げガイドが洗浄機の搬送体の先方に搬送体と一連に設けられて、その下端側が船上から海面に向けて下り傾斜に海上に突設されて海面の近くに設置されるか又は海中に入るように船又は洗浄機に設置された、
ことを特徴とする被洗浄物引上げ洗浄装置。
【請求項７】
請求項５記載の被洗浄物引上げ洗浄装置において、
被洗浄物引上げガイドが洗浄機の搬送体と別体であり、洗浄機又は船体に取付けられて、その下端側が船上から海面に向けて下り傾斜に海上に突設されて海面の近くに設置されるか又は海中に入れて設置された、
ことを特徴とする被洗浄物引上げ洗浄装置
【請求項８】
請求項５から請求項７のいずれか１項に記載の被洗浄物引上げ洗浄装置において、
被洗浄物引上げガイドの回転コンベアが船又は洗浄機に設けられて、その下端側が海面の近くに設置されている状態又は海中に入れてある状態から、上方に持ち上げられて船側に回動回転可能である、
ことを特徴とする被洗浄物引上げ洗浄装置。
【請求項９】
請求項５から請求項８のいずれか１項に記載の被洗浄物引上げ洗浄装置において、
船に設置された洗浄機の向きが、船の向きに応じて、被洗浄物引上げガイドにより引き上げられる被洗浄物が船上の洗浄機に引き込まれやすい向きに変更可能である、
ことを特徴とする被洗浄物引上げ洗浄装置。
【請求項１０】
請求項５から請求項９のいずれか１項に記載の被洗浄物引上げ洗浄装置において、
洗浄機の搬送体が上搬送体と下搬送体を備え、上搬送体と下搬送体は網が回転する回転コンベア式であり、前記網は縦横に網目があり、網目の孔は被洗浄物引上げガイドで海中から引上げられた被洗浄物が落ち込んでスリップを防止可能な滑り止め空間であり、網目の外周縁は前記被洗浄物が係止可能な滑り止め突起である、
ことを特徴とする被洗浄物引上げ洗浄装置。
【請求項１１】
海中に吊下げられている貝類付きロープ、養殖籠付きロープ、昆布等の被洗浄物を海中から船上に引上げる被洗浄物引上げ方法において、
請求項１から請求項４のいずれか１項に記載の被洗浄物引上げガイドを使用し、
その被洗浄物引上げガイドの回転コンベアの上端側を船の少なくとも側面上縁よりも上に設置し、下端側を船上から海面に向けて下り傾斜に海上に突設して、その下端側を海面近くに設置するか又は海中に入れ、
前記回転コンベアを回転させて海中の被洗浄物を当該回転コンベアの上走行部の上にのせて船上に引き上げる、
ことを特徴とする被洗浄物引上げ方法。
【請求項１２】
海中に吊下げられている貝類付きロープ、養殖籠付きロープ、昆布等の被洗浄物を海中から船上に引上げる被洗浄物引上げ方法において、
請求項５から請求項１０のいずれか１項に記載の被洗浄物引上げ洗浄装置を使用し、その被洗浄物引上げ洗浄装置における回転コンベアの下端側を船上から海面に向けて下り傾斜に海上に突設し、その下端側を海面近くに設置するか又は海中に入れ、
前記回転コンベアと被洗浄物引上げ洗浄装置の搬送体を回転させて、海中の被洗浄物を当該回転コンベアの上走行部の上にのせて引き上げて、前記洗浄装置の搬送体で引き込み、その搬送体での搬送中に前記洗浄装置の洗浄機から液体を噴射して前記被洗浄物を洗浄する、
ことを特徴とする被洗浄物引上げ方法。
【発明の詳細な説明】
【技術分野】
【０００１】
本願発明は、海中で吊下げ養殖や籠養殖する帆立貝、あこや貝、牡蠣などの貝類、天然或いは養殖の海産物、特に昆布のように長い海産物（以下これらをまとめて「被洗浄物」という）に付着した塵芥、海藻、サラボヤ、ムラサキイガイ、海草、海中の生物や塵芥、汚れ等（以下これらを「雑物」という）を洗浄除去するのに使用される被洗浄物引上げガイド、被洗浄物引上げ洗浄装置、被洗浄物引上げ方法に関するものであり、被洗浄物を海中や養殖池などから引上げながら船上で洗浄するのに特に適するものである。
【背景技術】
【０００２】
貝類は、ロープに差込んだ樹脂製の係止ピンやテグスを、貝類に開けた孔に通してロープに係止し、そのロープを海中に吊下げて養殖する吊下げ養殖（帆立貝の養殖では耳吊り養殖といわれている。）という方法で養殖されることがある。籠の中に貝類を入れて籠養殖されることもある。
【０００３】
吊下げ養殖では、貝類を数ヶ月も海中に吊しておくと、貝の表面やロープに雑物が大量に付着する。雑物が付着すると貝類の成長に好ましくないため、養殖の途中で貝類を海から引上げて洗浄し、海に戻しているのが現状である。籠養殖の場合も洗浄している。
【０００４】
吊下げ養殖中の貝類を洗浄するには、貝付きロープを海中から引上げる。このとき、貝付きロープを船に取付けた回転ドラムの回転により海中から鉛直方向に引上げ、回転ドラムで水平方向に向きを変えて、貝付きロープを洗浄機に引込んで洗浄している。
【０００５】
本件出願人は、本願に先立って吊下げ養殖中の貝類を洗浄する洗浄機を特許出願している（特許文献１）。この洗浄機も回転ドラムを備えており、この回転ドラムの回転により吊下げ養殖中の貝付きロープを引上げ、洗浄装置内に引込んで、洗浄装置の洗浄通路を通過する間に貝類とロープの汚れを洗浄除去するものである。
【先行技術文献】
【特許文献】
【０００６】
【特許文献１】特開２００１−１９１０４１号公報
【発明の概要】
【発明が解決しようとする課題】
【０００７】
貝類を係止して海中に吊下げられた８ｍｍ径のロープの場合、その長さと取付ける貝類の枚数にもよるが、例えば、海中に投入後半年程度で貝類及びロープに雑物が大量に付着して、見かけ上１００〜２００ｍｍの径となり、その重量もロープ１本当たり３０〜５０ｋｇにもなることがある。このように重くなった貝付きロープを引上げると、貝付きロープが回転体の胴体外周面でスリップしてスムースに引上がらないとか、貝類が回転ドラムと擦れてロープから落下するといった問題があった。このため、場合によっては、作業員が貝付きロープを洗浄装置の出口側に引いてスリップを防止することもある。この場合、ロープを引くために専属の作業員が必要になり、人件費増大の一因になる。
【０００８】
本願発明の課題は雑物が大量に付着している貝付きロープやそれに係止されている貝、養殖中の籠やその中の貝、昆布といった被洗浄物を海中から引上げるときに、それらがスリップせずに確実に引上げられる被洗浄物引上げガイド、被洗浄物引上げ洗浄装置、被洗浄物引上げ方法を提供することにある。
【課題を解決するための手段】
【０００９】
本願発明の被洗浄物引上げガイドは、海中に吊下げられている貝類付きロープ、養殖籠付きロープ、海中の昆布等の被洗浄物を海中から船上に引上げる被洗浄物引上げガイドにおいて、前記被洗浄物引上げガイドは上側回転体と下側回転体の外周に巻かれた網が前記両回転体の回転により回転する回転コンベアであり、前記網は縦横に網目があり、網目の孔は海中から引上げる被洗浄物が落ち込んでスリップするのを防止することが可能な滑り止め空間であり、網目の外周縁は前記被洗浄物が係止可能な滑り止め突起であり、前記回転コンベアはその下端側が船上から海面に向けて下り傾斜に海上に突設するように船又は船上の洗浄機に取り付け可能であり、上端側が船の少なくとも側面上縁よりも上に設置され、下端側が海面の近く又は海中に入れて設置できる長さのものである。
前記被洗浄物引上げガイドは、回転コンベアの下側（海側）が、回転コンベアが設置される船側に向けて湾曲又は屈曲しているものとすることもできる。
前記被洗浄物引上げガイドは、回転コンベアが、上側回転体と下側回転体の間であって、前記両回転体の外周に巻かれた網の上走行部の内側にその上走行部をその下方（内側）から支持して上走行部の弛みを防止可能な外側保持ガイドを、網の下走行部の外側にその下走行部をその下方（外側）から支持して下走行部の弛みを防止可能な内側保持ガイドを備えたものとすることもできる。
前記被洗浄物引上げガイドは、回転コンベアが、その下端側が海面の近くに設置されている状態又は海中に入れてある状態から、当該下端側を上方に上げて船側に回動回転可能なものとすることもできる。
【００１０】
本願発明の被洗浄物引上げ洗浄装置は、海中に吊下げられている被洗浄物を海中から船上に引上げながら洗浄装置で洗浄する被洗浄物引上げ洗浄装置において、被洗浄物を海中から船上に引上げる被洗浄物引上げガイドと、引上げた被洗浄物を船上で洗浄する洗浄機を備え、前記被洗浄物引上げガイドは前記いずれかの被洗浄物引上げガイドであり、その上端側が船の少なくとも側面上縁よりも上であって、船上に設置された洗浄機の入口と同じ高さ（略同じ高さを含む）に設置され、下端側が海面に向けて下り傾斜に海上に突設され、その下端側が海面近くになるように又は海中に入るように船又は前記洗浄機に取り付けられ、前記洗浄機は前記被洗浄物引上げガイドで海中から引上げられた被洗浄物を引き込んで搬送する搬送体と、搬送中に被洗浄物に洗浄液を噴射する噴射体を備えたものである。
【００１１】
本願発明の被洗浄物引上げ洗浄装置は、前記被洗浄物引上げ洗浄装置において、被洗浄物引上げガイドが洗浄機の搬送体の先方に搬送体と一連に設けられて、その下端側が船上から海面に向けて下り傾斜に海上に突設されて海面の近くに設置されるか又は海中に入るように船又は洗浄機に設置されたものとすることもできる。
前記被洗浄物引上げ洗浄装置は、被洗浄物引上げガイドが洗浄機の搬送体と別体であり、洗浄機又は船体に取付けられて、その下端側が船上から海面に向けて下り傾斜に海上に突設されて海面の近くに設置されるか又は海中に入れて設置されたものとすることもできる。
前記被洗浄物引上げ洗浄装置は、被洗浄物引上げガイドの回転コンベアが船又は洗浄機に設けられて、その下端側が海面の近くに設置されている状態又は海中に入れてある状態から、上方に持ち上げられて船側に回動回転可能なものとすることもできる。
前記被洗浄物引上げ洗浄装置は、船に設置された洗浄機の向きが、船の向きに応じて、被洗浄物引上げガイドにより引き上げられる被洗浄物が船上の洗浄機に引き込まれやすい向きに変更可能とすることもできる。
前記被洗浄物引上げ洗浄装置は、洗浄機の搬送体が上搬送体と下搬送体を備え、上搬送体と下搬送体は網が回転する回転コンベア式であり、前記網は縦横に網目があり、網目の孔は被洗浄物引上げガイドで海中から引上げられた被洗浄物が落ち込んでスリップを防止可能な滑り止め空間であり、網目の外周縁は前記被洗浄物が係止可能な滑り止め突起であるものとすることもできる。
【００１２】
本願発明の被洗浄物引上げ方法は、海中に吊下げられている貝類付きロープ、養殖籠付きロープ、昆布等の被洗浄物を海中から船上に引上げる被洗浄物引上げ方法において、前記いずれかの被洗浄物引上げガイドを使用し、その被洗浄物引上げガイドの回転コンベアの上端側を船の少なくとも側面上縁よりも上に設置し、下端側を船上から海面に向けて下り傾斜に海上に突設して、その下端側を海面近くに設置するか又は海中に入れ、前記回転コンベアを回転させて海中の被洗浄物を当該回転コンベアの上走行部の上にのせて船上に引き上げる方法である。
本願発明の被洗浄物引上げ方法は、海中に吊下げられている貝類付きロープ、養殖籠付きロープ、昆布等の被洗浄物を海中から船上に引上げる被洗浄物引上げ方法において、前記いずれかの被洗浄物引上げ洗浄装置を使用し、その被洗浄物引上げ洗浄装置における回転コンベアの下端側を船上から海面に向けて下り傾斜に海上に突設し、その下端側を海面近くに設置するか又は海中に入れ、前記回転コンベアと被洗浄物引上げ洗浄装置の搬送体を回転させて、海中の被洗浄物を当該回転コンベアの上走行部の上にのせて引き上げて、前記洗浄装置の搬送体で引き込み、その搬送体での搬送中に前記洗浄装置の洗浄機から液体を噴射して前記被洗浄物を洗浄する方法とすることもできる。
【発明の効果】
【００１３】
本願発明は次のような効果がある。
１．被洗浄物引上げガイドが船上の洗浄機の入口手前から船の外まで突設されるので、海中の被洗浄物が被洗浄物引上げガイドに沿ってスムースに引上げることができる。
２．被洗浄物引上げガイドが回転コンベアの場合は、海中の被洗浄物が雑物の付着で太くなったり重くなったりしても引上げが容易且つ確実になり、被洗浄物が貝付きロープの場合は、貝がロープから脱落しにくくなる。
３．被洗浄物引上げガイドが回転コンベアの場合は、その表面を滑り止め構造にすれば、被洗浄物引上げガイドで引上げられる被洗浄物が滑りにくくなり、引上げが確実になる。
４．被洗浄物引上げガイドが回転コンベアの場合は、従来の回転ドラムに比して被洗浄物と被洗浄物引上げガイドの接触面積（長さ）が大きく（長く）なり、従来に比べて被洗浄物と被洗浄物引上げガイドの摩擦力が大きくなるので、被洗浄物がスリップし難くなり、被洗浄物を確実に引上げることができる。
５．被洗浄物引上げガイドの先端側（下端部）を水面近くに又は水中に入れてセットすれば、水中の被洗浄物をより一層スムースに引上げることができ、被洗浄物が貝付きロープの場合に貝類がロープから脱落しにくくなる。
６．被洗浄物引上げガイドが、表面が滑り易いスライド台の場合は、被洗浄物がスライド台の上を引上げられても、貝類がロープから脱落しにくくなる。
７．被洗浄物引上げガイドを非回転式のスライド台とし、洗浄機の搬送体で被洗浄物をスライド台の上に引上げるようにすれば、スライド台の他に引上げ駆動体を設ける場合よりも構成が簡潔になる。
８．被洗浄物引上げガイドの下端側が内側（船側）に湾曲又は屈曲させてあるので、水中から引上げられる被洗浄物が被洗浄物引上げガイドの下端縁に当たりにくくなり、貝付きロープの場合に貝類がロープから脱落しにくくなる、
９．被洗浄物引上げガイドを船上に収容可能とすることにより、被洗浄物引上げガイドが船の走行の邪魔にならない。
１０．被洗浄物引上げガイドが洗浄機の搬送体に一連に取付けられている場合は、洗浄機を船上に設置して被洗浄物引上げガイドを船の外に下向きに突出させ易くなり、被洗浄物引上げガイドを海に向けてセットし易く、被洗浄物引上げガイドで引上げられる被洗浄物が洗浄機の搬送体に送り込まれ（引込まれ）易くなる。
１１．船上への洗浄機の設置の向きを変更可能とすれば、海の潮の流れに合わせて船を安定する向きに変えた場合でも、洗浄機の入口を海に向けることができるので被洗浄物の引上げ作業を容易且つスムースに行うことができる。
【図面の簡単な説明】
【００１４】
【図１】（ａ）は本願発明の被洗浄物引上げ洗浄装置を船上に搭載した状態を示す縦断側面概要図、（ｂ）は被洗浄物引上げ洗浄装置における引上げ具の下端側を内側（船側）に湾曲させた場合の一例を示す説明図。
【図２】被洗浄物引上げガイドを略鉛直姿勢となるまで回転させて船上に収納させた状態を示す縦断側面概要図。
【図３】被洗浄物引上げガイドの先端側を海中に入れた状態を示す縦断側面概要図。
【図４】洗浄機の下搬送体及び上搬送体、被洗浄物引上げガイドに使用される波状網の一例を示す斜視図。
【図５】被洗浄物引上げガイドを連結した下搬送体と上搬送体と噴射体と貝付きロープ送り出し部分の概要説明図。
【図６】（ａ）は本願発明の被洗浄物引上げ洗浄装置における洗浄機の一例を示す外観図、（ｂ）は洗浄機を取付ける支持台の一例を示す外観図。
【図７】本願発明の被洗浄物引上げ洗浄装置における洗浄機の下搬送体及び上搬送体、被洗浄物引上げガイドに使用される滑り止めベルトの一例であり、滑り止め突起が多数の小突起の場合の斜視図。
【図８】本願発明の被洗浄物引上げ洗浄装置における洗浄機の下搬送体及び上搬送体、被洗浄物引上げガイドに使用される滑り止めベルトの一例であり、滑り止め突起が凹溝と凸条を交互に備えた場合の斜視図。
【図９】本願発明の被洗浄物引上げ洗浄装置における洗浄機の下搬送体及び上搬送体、被洗浄物引上げガイドに使用されるベルトの一例であり、滑り止め突起がＶ字状突起の場合の斜視図。
【図１０】本願発明の被洗浄物引上げ洗浄装置における洗浄機の下搬送体及び上搬送体、被洗浄物引上げガイドに使用されるベルトの一例であり、滑り止め突起がＬ字状突起の場合の斜視図。
【図１１】（ａ）は本願発明の被洗浄物引上げ洗浄装置の他の例を示すもので、被洗浄物引上げガイドを下搬送体と別体にして洗浄機に取付けた状態を示す縦断側面図、（ｂ）は被洗浄物引上げ洗浄装置における引上げ具の下端側を内側（船側）に湾曲させた場合の一例を示す説明図。
【図１２】（ａ）は本願発明の被洗浄物引上げ洗浄装置の他の例を示すもので、被洗浄物引上げガイドを下搬送体と別体にして船に取付けた状態を示す縦断側面図、（ｂ）は被洗浄物引上げ洗浄装置における引上げ具の下端側を内側（船側）に湾曲させた場合の一例を示す説明図。
【図１３】図１２（ａ）の被洗浄物引上げガイドを上方に跳ね上げた例を示す縦断側面図。
【図１４】（ａ）は本願発明の被洗浄物引上げ洗浄装置の他の例を示すもので、被洗浄物引上げガイドがスライド台の場合の縦断側面図、（ｂ）はスライド台を船上に跳ね上げた例を示す縦断側面図。
【図１５】図１４（ａ）の被洗浄物引上げ洗浄装置のスライド台を回転させて上向きに跳ね上げた場合の縦断側面図。
【図１６】図１４（ａ）の被洗浄物引上げ洗浄装置のスライド台及び引上げ駆動体の正面図。
【図１７】船上への本願発明の被洗浄物引上げ洗浄装置の取付け位置の説明図。
【発明を実施するための形態】
【００１５】
（実施形態）
本願発明の被洗浄物引上げ洗浄装置は海水（海中）や真水（湖中）等で養殖中の貝類を引上げながら船の上で洗浄するのに適するものであり、その一例として図示したものは、海中で養殖中の貝類１が係止されているロープ（貝付きロープ）２を海中から引上げて、船３の上に設置した洗浄機４で洗浄する場合の一例である。
【００１６】
図１（ａ）の被洗浄物引上げ洗浄装置は、洗浄機４の入口５の先方に、船３の外に斜め下向きに突出する被洗浄物引上げガイド６を備え、その被洗浄物引上げガイド６により海中から引上げた貝付きロープ２を洗浄機４に送り込んで洗浄できるようにした例であり、被洗浄物引上げガイド６が洗浄機４の搬送体７の先に一連に設けられている場合の例である。
【００１７】
図１（ａ）の洗浄機４は海中から引上げられて入口５から搬送体７により引込まれる貝付きロープ２が、洗浄機４内を通過して洗浄機４の出口８から送り出される（引出される）間に、貝付きロープ２に下噴射体９ａ、上噴射体９ｂから洗浄液を噴射して洗浄するものである。
【００１８】
洗浄機４の搬送体７はコンベア式の下搬送体７ａとその上に対向配置されたコンベア式の上搬送体７ｂを備え、両搬送体７ａ、７ｂの間に貝付きロープ２が通過可能な洗浄通路１０が形成されている。図１（ａ）では前記下噴射体９ａが下搬送体７ａ内に設置され、上噴射体９ｂが上搬送体７ａ内に設置されているが、図５に示すように下噴射体９ａは下搬送体７ａの外に、上噴射体９ｂは上搬送体７ａの外に配置することもできる。両噴射体９ａ、９ｂは回転式であり、図５に示す矢印方向、又は矢印方向及びそれと反対方向に切り替え回転可能であり、図示されていない加圧機により液体が加圧されて高圧洗浄液が噴射され、洗浄通路１０内を通過する貝付きロープ２の貝類及びロープを洗浄できるようにしてある。搬送体７と噴射体９ａ、９ｂは図６（ａ）に示すような筐体１２内に収納されており、筐体１２は図６（ｂ）に示すように船３の上に設置固定されている支持台１３に取付けられている。
【００１９】
筐体１２の側面には図６（ａ）のように側面導入口４６が開口されており、そこから貝付きロープ２を出し入れ可能として、貝付きロープ２を洗浄通路１０内に通すときに、わざわざ、入口５から入れて出口８から引出す面倒がなくなる。側面導入口４６にはカーテンやシャッター等の遮蔽具１４ａが設けられて、下噴射体９ａ、上噴射体９ｂから噴射される洗浄液の飛沫が側面導入口４６から外に飛散しないようにしてある。遮蔽具１４ａは樹脂製の線材を簾状に多数本設けたものであるが、遮蔽具１４ａはこれ以外の素材、形状、構造であってもよく、例えばゴム製の帯を多数本垂らしたカーテン、金属製の開閉扉等とすることもできる。図６（ａ）に示す簾状の遮蔽具１４ａやゴム製帯のカーテンの場合はそれらが垂れている状態で貝付きロープ２を出し入れできるので便利である。
【００２０】
図１（ａ）の上搬送体７ｂは４本の回転体１４の外周に無端回転する上走行体１５を備え、回転体１４のうち少なくとも一つはモータやエンジンなどの駆動源により強制回転させられる駆動回転体であり、残りの回転体１４は駆動回転体の回転に伴って自由回転（従動回転）するようにしてある。上走行体１５は前記駆動回転１４体及び従動回転体１４の回転によって貝付きロープ２を洗浄通路１０内に引込むように回転（図１（ａ）では反時計回りに回転）する。また、上搬送体７ｂの上走行体１５の入口側（図の左側部分）は貝付きロープ２が円滑に進入できるように上向き傾斜になっており、その上向き傾斜を確保できるように上走行体１５の上向き曲り部の上に押しローラー１６（図５）を設け、先端の回転体１４から上方に突出している係止片１７と、中間の回転体１４から上方に突出している支持片１８との間にスプリング１９を係止して、上搬送体７ｂの上走行体１５の入口側を上方に持ち上げてある。
【００２１】
図１（ａ）の被洗浄物引上げガイド６は下搬送体７ａの先端側から筐体１２の外まで突出させて、船３の上から海に向けて下り傾斜（前傾）にしてある。図１（ａ）の被洗浄物引上げガイド６と下搬送体７ａは３つの回転体（下側回転体１６ａ、入口側回転体（上側回転体）１６ｂ、出口側回転体１６ｃ）とその外周を無端回転する下走行体２０を備え、それら回転体１６ａ〜１６ｃの少なくともいずれか一つの回転体は図示されていないモータやエンジン等の駆動源で強制回転させられる駆動回転体であり、その回転により下走行体２０が図１（ａ）の右側方向（時計回り方向）に無端回転し、それに伴って他の回転体（従回転体）が回転するようにしてある。被洗浄物引上げガイド６は洗浄機４の入口側回転体１６ｂの部分を屈折部或いは湾曲部として、そこから図２のように上向きに折り曲げ（跳ね上げ、折畳み）可能としてある。図１（ａ）の被洗浄物引上げガイド６の屈折部の下には、下走行体２０が下方に垂れ下がるのを防止すると共に下走行体２０にテンションを与えるための支持具２１（図５）が配置されている。図５の支持具２１は回転ローラーであるが、それ以外の構造、機構、例えば、下搬送体７ａの幅方向に長い回転バーであってもよい。支持具２１は折畳み時や不要時に取外し可能な着脱構造とすることもできる。下走行体２０の下で回転方向中間部には下走行体２０の下方への弛みを防止する弛み防止具２０ａ（図５）が配置されている。弛み防止具２０ａは回転ローラー以外のものであってもよい。
【００２２】
図１（ａ）において下搬送体７ａと上搬送体７ｂの駆動回転体が回転して上走行体１５、下走行体２０が回転すると、貝付きロープ２が海中から被洗浄物引上げガイド６の上に引上げられ、被洗浄物引上げガイド６に沿って船３の上まで引上げられて洗浄機４の入口５に送り込まれ、洗浄機４の搬送体７により洗浄通路１０内に引込まれ、洗浄通路１０内を走行中に、貝付きロープ２に下噴射体９ａ、上噴射体９ｂから洗浄液が噴射されて貝付きロープ２が洗浄されるようにしてある。このとき、下搬送体７ａの下走行体２０と上搬送体７ｂの上走行体１５は等速回転して、貝付きロープ２がスムースに洗浄通路１０内に引込まれ、貝付きロープ２から貝類１が脱落しないようにするのが望ましいが、貝付きロープ２から貝類１が脱落はしないが貝付きロープ２に付着している汚れや塵芥等は落ちやすくなる程度に、下搬送体７ａの下走行体２０と上搬送体７ｂの上走行体１５の回転速度を異ならせることはできる。この場合、図１（ｂ）に示すように被洗浄物引上げガイド６の下端側を船３側に湾曲又は屈曲させて、海中から引上げられる貝付きロープ２が被洗浄物引上げガイド６の下端に衝突することなく、被洗浄物引上げガイド６の上面にスムースに引上げられるようにしてある。被洗浄物引上げガイド６の下端側の湾曲又は屈曲を維持（保持）するために、被洗浄物引上げガイド６の下走行体２０の湾曲部に内側保持ガイド４７、外側保持ガイド４８を設けてある。図１（ｂ）に示す内側保持ガイド４７と外側保持ガイド４８は板状であるが、所望形状に保持可能であればそれ以外のもの、例えばローラー等であってもよい。
【００２３】
図１（ａ）、図５の被洗浄物引上げガイド６及び下搬送体７ａの回転体１６ａ〜１６ｃ、上搬送体７ｂの各回転体１４はスプロケットとし、下走行体２０、上走行体１５として図４のような波状網２３を使用し、その網目をスプロケットの外周に掛けて、スプロケットが回転すると網目がスプロケットの歯と噛み合ってスリップせずに回転できる網状コンベアとしてある。上搬送体７ａ、下搬送体７ｂはこれ以外の構造であってもよく、例えば、被洗浄物引上げガイド６及び下搬送体７ａのスプロケットの外周にチェーンベルトを掛け、そのチェーンベルトに波状網２３を取付けてチェーンコンベア式の下搬送体７ａとし、回転体１４のスプロケットの外周にチェーンベルトを掛け、そのチェーンベルトに波状網２３を取付けてチェーンコンベア式の上搬送体７ｂとすることもできるし、前記回転体１６ａ〜１６ｃ、１４をローラーとし、それらローラーの外周に掛ける下走行体２０、上走行体１５をベルトとするベルトコンベアとすることもできる。可能であれば回転ローラーを多数並べたローラーコンベアとすることもできる。
【００２４】
図１（ａ）の上搬送体７ｂの回転体１４の回転軸は軸受け等を介して筐体１２に回転可能に取付けてある。下搬送体７ａの３つの回転体１６ａ〜１６ｃのうち筐体１２の出口側回転体１６ｃの回転軸も軸受け等を介して筐体１２内に回転可能に取付けられ、入口側回転体１６ｂの回転軸は筐体１２の外に設けた支持具（図示せず）に回転可能に取付けられている。下側回転体１６ａは図１（ａ）に示すように筐体１２の入口５の先方に前傾して伸びる剛性の板状の剛性のアーム２２（図１（ａ）（ｂ）、図５）に回転可能に支持されている。アーム２２は図１（ａ）、図５の回転体１６ａ、１６ｂの幅方向両側（図１（ａ）、図５の手前側と奥側：回転体１６ａ〜１６ｃの回転軸の軸方向両側）に配置され、先端部は下側回転体１６ａの回転軸又はその回転軸受けに取付けられ、基端部は入口側回転体１６ｂの回転軸又はその回転軸受けに取付けられている。アーム２２の基端部は入口側回転体１６ｂの回転軸又は回転軸受けに取付けるのに代えて筐体１２に固定することもできる。いずれにしても、アーム２２は入口側回転体１６ｂ或いは筐体１２の固定位置の回りに回転可能に取付けられて、被洗浄物引上げガイド６が入口側回転体１６ｂ（或いは筐体１２との固定位置）を回転軸として回転可能として、洗浄作業を行わないときは図２に示すように被洗浄物引上げガイド６を略鉛直姿勢となるまで回転（この場合時計回り）させて、船上（船内）に引上げて収納できるようにしてある。洗浄機４は海側と船内側に横移動可能として船内側に移動させることにより被洗浄物引上げガイド６を船上（船内）に移動させることもできる。被洗浄物引上げガイド６は図３に示すように先端側が海中に入るまで前傾させることもできる。
【００２５】
下搬送体７ａは被洗浄物引上げガイド６を備えることにより、従来の搬送体よりも長い搬送長となっているため、貝付きロープ２と下搬送体７ａの下走行体２０の表面との接触面（長さ）が大きく（長く）なり、貝付きロープ２は下走行体２０の表面上をスリップすることなく確実に引上げられる。被洗浄物引上げガイド６の表面は滑り止め構造にするのがよい。
【００２６】
図４に示す波状網２３は細幅板２３ａをコの字形に曲げて山２３ｂと谷２３ｃのある波状の滑り止め突起とし、山２３ｂと谷２３ｃの内側空間を滑り止め空間２４とし、この山２３ｂと谷２３ｃと滑り止め空間２４が繰り返し形成された波板を山の高さ方向（谷の深さ方向でもある）に多数列並べて、丸棒状の連結軸２５で回転自由に連結されて、波状網２３が下搬送体７ａ、上搬送体７ｂの曲がり部分でもその曲がりに追随して回転可能となるようにしてある。山２３ｂと谷２３ｃと滑り止め空間２４の形状はコの字形に限らず、半円形としたり、三角形としたり、五角形とするなど任意の形状を選択できる。前記細幅板２３ａ及び連結軸２５は金属製や樹脂製等とすることができるが、金属製とする場合は海中使用するため防錆加工を施すかステンレス製とすることが望ましい。
【００２７】
図４の波状網２３は下搬送体７ａ及び被洗浄物引上げガイド６、上搬送体７ｂがベルトコンベアの場合にはベルトに表面に取付けることができ、それらがチェーンコンベアの場合にはチェーンベルトに取付けることができ、回転体１４、１６ａ〜１６ｃがスプロケットの場合は、それらに直接、噛み合い可能に装着することもできる。
【００２８】
波状網２３は図４のような波状板ではなく、数ｃｍの短い細幅板を図４のようにコの字状に組み合わせて波の山２３ｂと谷２３ｃと滑り止め空間２４が連続する波状にし、それを図４のように網状に連結したものであってもよい。下搬送体７ａの下走行体２０、上搬送体７ｂの上走行体１５として使用する波状網２３は他の形状の金網（市販の各種金網）であってもよい。下搬送体７ａは胴体を網製とした回転ドラムとし、上搬送体７ｂは貝付きロープ２をその回転ドラムの網製の胴体に押し付け可能な形状、構造の押し具とすることもできる。下搬送体７ａ、上搬送体７ｂは他の構造でもよい。
【００２９】
従来の回転ドラムでの巻上げでは、ザラボヤなどの雑物が大量に付着した貝付きロープは回転ドラムの胴体でスリップして引上げにくいとか、貝付きロープは水中では浮力を受けているが空中に引上げられると浮力を受けなくなって重くなるため、貝付きロープの全重量が回転ドラムにかかって海中から引上げることができない場合があったが、本願発明の被洗浄物引上げガイド６は図４に示すような滑り止め構造の波状網２３を図１（ａ）のように回転体１６ａ〜１６ｃの外周に巻付けてあるため、貝付きロープ２に付着している雑物等がその滑り止め突起に係止し、滑り止め空間２４内に入り（落ち込み）、下搬送体７ａ及び被洗浄物引上げガイド６、上搬送体７ｂに係止して滑りにくくなり確実に引上げ可能となる。
【００３０】
下走行体２０、上走行体１５の表面の滑り止め構造の他例として図７に示すものは、ベルト２６の上に角ブロック状の滑り止め突起２６ａを千鳥配列で固定したものであり、滑り止め突起２６ａはビス、釘、接着剤等の止め具でベルト２６の表面に固定してある。このベルト２６を回転体１６ａ〜１６ｃ（図１（ａ））や回転体１４（図１（ａ））の外周に巻いて回転コンベア式の下搬送体７ａ及び被洗浄物引上げガイド６、上搬送体７ｂとすることができる。
【００３１】
滑り止め構造は図８に示すようにベルトや薄板２７の上面に横長突条２７ａと横長凹部２７ｂを均一間隔で形成することもできる。この場合は横長突条２７ａが滑り止め突起となり、横長凹部２７ｂが滑り止め空間となる。このベルトや薄板２７を図１（ａ）の回転体１６ａ〜１６ｃの外周に巻いて回転コンベア式の下搬送体７ａ及び被洗浄物引上げガイド６（図１（ａ））とし、回転体１４の外周に巻いて上搬送体７ｂ（図１（ａ））とすることができる。
【００３２】
滑り止め構造は図９のようにＶ字形の滑り止め突起２８ａが図９のようにベルト２８の表面に千鳥配列で取付けられたものであり、そのベルト２８を回転体１６ａ〜１６ｃの外周に巻いて回転コンベア式の下搬送体７ａ及び被洗浄物引上げガイド６とし、回転体１４の外周に巻いて上搬送体７ｂとすることができる。この場合、滑り止め突起２８ａの開口側２８ｂを下搬送体７ａ、上搬送体７ｂの回転方向先方（図９の矢印方向）に向けて取付けて、貝付きロープ２が滑り止め突起２８ａに係止して滑りにくくなるようにしてある。滑り止め突起２８ａは裾に取付け片２８ｃを備えており、この取付け片２８ｃをビス、釘、接着剤などの固定具でベルト２８の表面に固定することができる。
【００３３】
滑り止め構造は図１０に示すＬ字形の滑り止め突起３０ａをベルト３０の表面に取付け、そのベルト３０を回転体１６ａ〜１６ｃの外周に巻いて回転コンベア式の下搬送体７ａ及び被洗浄物引上げガイド６（図１（ａ））とし、回転体１４の外周に巻いて上搬送体７ｂ（図１）とすることができる。この場合、貝付きロープ２が滑り止め突起３０ａに係止して滑りにくくなる。滑り止め突起３０ａは裾に取付け片３０ｂを備えており、この取付け片３０ｂをビス、釘、接着剤などの固定具でベルト３０の表面に固定することができる。
【００３４】
本願発明の被洗浄物引上げ洗浄装置は図１１（ａ）に示すように、被洗浄物引上げガイド６を洗浄機４の下搬送体７ａと別体にし、被洗浄物引上げガイド６を洗浄機４の入口５の手前に取付けアーム３２で連結し、被洗浄物引上げガイド６と下搬送体７ａが別々に回転するようにしてある。被洗浄物引上げガイド６の上側回転体１６ｄは連結アーム３２によって筐体１２に回動可能に支持固定されている。この取付けアーム３２と上側回転体１６ｄとは、被洗浄物引上げガイド６が上側回転体１６ｄの回りで回転可能となるように取付けられている。これによって、被洗浄物引上げガイド６は上側回転体１６ｄの軸を回転軸として回転することが可能で、不使用時には、略鉛直姿勢となるまで回転させて船上に収納できるようにしてある。この被洗浄物引上げガイド６も先端側を海中に入れて回転させることもできる。取付けアーム３２は洗浄機４の筺体１２に回転可能に固定するのではなく、下搬送体７ａの入口側回転体１６ｂとか、取付けアーム３２を被洗浄物引上げガイド６の両側面（図１１（ａ）の手前側と奥側）に設置することもできるし、被洗浄物引上げガイド６を支持できれば他の構造とすることもできる。
【００３５】
図１１（ａ）に示す被洗浄物引上げガイド６は上側回転体１６ｄと下側回転体１６ａも剛性のアーム２２で連結されている。上側回転体１６ｄと下側回転体１６ａはスプロケットとし、それらの外周を回転走行するガイド走行体３３を図４に示すコ字状の波状網２３とし、その網目をスプロケットの歯に噛み合わせることにより、スプロケットの回転でガイド走行体３３が自動的に回転走行できるようにしてある。前記両回転体１６ａ、１６ｄ又はいずれか一方の回転体をモータ等の駆動源で駆動回転させる駆動回転体とし、その駆動回転体の回転によりガイド走行体３３が無端回転するようにしてある。図１１（ａ）の被洗浄物引上ガイド６も下搬送体７ａと同様に図７〜図１０のような構造の滑り止め構造とすることもできる。被洗浄物引上げガイド６はその回転体１６ａ、１６ｄをローラーとし、ガイド走行体３３をベルトとするベルトコンベアとすることもできる。被洗浄物引上げガイド６は回転体１６ａ、１６ｄをローラーとし、ガイド走行体３３をベルトとするベルトコンベアとすることもできる。この場合も、ガイド走行体３３は図１（ａ）の走行体１５、２０と同様に滑り止め構造にするのがよい。図１１（ａ）に示す被洗浄物引上げガイド６は図示した前傾姿勢で回転走行し、下搬送体７ａは略水平姿勢で走行回転（図では時計回りに回転）し、両者の回転は同方向に等速としてあるが、前記のように引上げる貝付きロープ２から貝類１が脱落しない程度の速度差は設けることもできる。被洗浄物引上げガイド６の上端部は下搬送体７ａの先端側端部に接近配置されて、被洗浄物引上げガイド６の上に引上げられた貝付きロープ２が下搬送体７ａの上にスムースに引継がれて洗浄通路１０内に案内されるようにしてある。この場合、被洗浄物引上げガイド６の上端部と下搬送体７ａの先端側端部との間に中継具（図示せず）を配置して、被洗浄物引上げガイド６で引上げられる貝付きロープ２がより一層円滑に下搬送体７ａの上に引継がれるようにすることもできる。図１１（ｂ）に示すように被洗浄物引上げガイド６の下端側を船３側に湾曲又は屈曲させて、海中から引上げられる貝付きロープ２が被洗浄物引上げガイド６の下端に衝突することなく、被洗浄物引上げガイド６の上面にスムースに引上げられるようにしてある。被洗浄物引上げガイド６の下端側の湾曲又は屈曲を維持（保持）するために、被洗浄物引上げガイド６のガイド走行体３３の湾曲部に内側保持ガイド４７、外側保持ガイド４８を設けてある。図１１（ｂ）に示す内側保持ガイド４７と外側保持ガイド４８は板状であるが、所望形状に保持可能であればそれ以外のもの、例えばローラー等であってもよい。
【００３６】
図１１（ａ）の下搬送体７ａ、上搬送体７ｂ、噴射体９ａ、９ｂの構造や作用は図１（ａ）の被洗浄物引上げ洗浄装置と同じであり、洗浄機４は本件出願人が先に登録した特許第３４５７２４２号の洗浄装置と同じものであり、下搬送体７ａ、上搬送体７ｂに図４に示すコ字型の波状網２３を使用し、その回転により両搬送体７ａ、７ｂの間の洗浄通路１０に貝付きロープ２を引込んで洗浄できるようにしてある。下搬送体７ａは筐体１２の入口５の外側に設けた入口側回転体１６ｂと出口側回転体１６ｃの外周にコ字状の波状網２３を張り、両回転体１６ｂ、１６ｃのうちいずれか一方を駆動回転体とし、その回転により上走行体１５及び駆動回転体以外の回転体（従動回転体）が回転するようにしてある。入口側回転体１６ｂは図示しない支持具で筐体１２に回転可能に支持されている。入口側回転体１６ｂの支持は他の構造とすることもできる。図１１（ａ）の下搬送体７ａと上搬送体７ｂも共に貝付きロープ２を洗浄通路１０内に引込み可能な方向に等速回転する。
【００３７】
取付けアーム３２と筺体１２又は上側回転体１６ｄとの固定は、ボルトなどを用いて着脱容易とすることもできる。この場合、取付けアーム３２と筺体１２又は上側回転体１６ｄとの固定を解除することで、被洗浄物引上げガイド６を洗浄機４から容易に取外すことができる。船の走行時などの被洗浄物引上げガイド６の不使用時には被洗浄物引上げガイド６を取外すことによって、船の走行の邪魔にならないようにすることができる。この場合、被洗浄物引上げガイド６の使用時には取付けアーム３２と筺体１２又は上側回転体１６ｄとをボルト締め等で固定して、被洗浄物引上げガイド６を容易に取付けることができる。
【００３８】
本願発明の被洗浄物引上げ洗浄装置の一例として図１２（ａ）に示すものは、基本的には図１（ａ）、図１１（ａ）の被洗浄物引上げ洗浄装置と同じ構成、機能であり、異なるのは、被洗浄物引上げガイド６を洗浄機４の下搬送体７ａと別体にして、被洗浄物引上げガイド６と搬送体７が別々に回転するようにし、被洗浄物引上げガイド６を支持具３４により船の側壁上面に取付けたことである。この被洗浄物引上げガイド６もそのガイド走行体３３を滑り止め構造にしてあり、不使用時には図１３のように船３の上に収容できるようにしてある。被洗浄物引上げガイド６の収容方法は図１３のような船の上方への折り曲げ（跳ね上げ、折畳み）、船の側面上での船内側への回転、その他の各種手段で行うことができる。図１２（ｂ）に示すように被洗浄物引上げガイド６の下端側を船３側に湾曲又は屈曲させて、海中から引上げられる貝付きロープ２が被洗浄物引上げガイド６の下端に衝突することなく、被洗浄物引上げガイド６の上面にスムースに引上げられるようにしてある。被洗浄物引上げガイド６の下端側の湾曲又は屈曲を維持（保持）するために、被洗浄物引上げガイド６のガイド走行体３３の湾曲部に内側保持ガイド４７、外側保持ガイド４８を設けてある。図１２（ｂ）に示す内側保持ガイド４７と外側保持ガイド４８は板状であるが、所望形状に保持可能であればそれ以外のもの、例えばローラー等であってもよい。
【００３９】
本願発明の被洗浄物引上げ洗浄装置の実施形態の一例として図１４（ａ）に示すものは、基本的構造、機能において図１（ａ）、図１１（ａ）、図１２（ａ）の被洗浄物引上げ洗浄装置と同じであり、異なるのは被洗浄物引上げガイド６を回転コンベア式ではなく表面が滑らかな滑り台のような非回転式（非駆動式）のスライド台にしたことである。スライド台は洗浄機４と別体に形成され、被洗浄物引上げガイド６と洗浄機４の入口５との間に引上げ駆動体（モータやエンジン等）３５が設けられ、被洗浄物引上げガイド６と引上げ駆動体３５が船上に設置され、引上げ駆動体３５の回転により海中の貝付きロープ２が図１６に示すように被洗浄物引上げガイド６の表面に沿って引上げられて、洗浄機４の洗浄通路１０に送り込まれるようにしてある。送り込まれる貝付きロープ２は、洗浄機４の搬送体７によって洗浄機４に引込むこともできる。この貝付きロープ２は洗浄通路１０内を通過する間に噴射体９ａ、９ｂから噴射される洗浄液により洗浄されて、洗浄機４の出口８から送り出されて海中に戻されるようにしてある。図１４（ｂ）に示すように被洗浄物引上げガイド（スライド台）６の下端側を船３側に湾曲又は屈曲させて、海中から引上げられる貝付きロープ２が被洗浄物引上げガイド６の下端に衝突することなく、被洗浄物引上げガイド６の上面にスムースに引上げられるようにしてある。
【００４０】
貝付きロープ２を洗浄機４の搬送体７によって洗浄機４に引込み可能であれば、前記引上げ駆動体３５は必ずしも必要ではない。場合によっては引上げ駆動体３５で引上げ、搬送体７で引込むようにすることもできる。搬送体７による引込みを容易且つ確実にするためには、スライド台の上端部を洗浄機４の入口５側に接近させて配置するのがよい。スライド台は図１４（ｂ）のように下端部を内側（船３側）に湾曲させて、海中から引上げる貝付きロープ２がスライド台の上に乗り移り易くなるようにし、貝の脱落が発生しにくくなるようにしてある。この被洗浄物引上げガイド６も図１５のように船上に跳ね上げて収容可能である。収容方法はスライド台（被洗浄物引上げガイド６）を取付けた船３の側面上での回転とか、他の各種方法で行うことができる。
【００４１】
洗浄機４を搭載する支持台１３の一例を図６（ｂ）に示す。この支持台１３は洗浄機４を搭載する載せ台３６の下に支持脚３７が設けられ、載せ台３６の四方に同じ向きに細長の長孔３８が開口されており、支持脚３７は高さ調節機構３９で高さ調節可能としてある。支持脚３７はチェーンとか金属棒等の連結具４０で船体や船体に固定されているパイプ４１等に固定可能としてあり、連結具４０はターンバックルとか他の長さ調節機構４２で長さ調節可能としてある。載せ台３６はその底面に突設されている宛板４３を船３の側面に宛がうことで位置ずれしないようにしてある。
【００４２】
図６（ｂ）の支持台１３の上に載せる洗浄機４は、図６（ａ）に示すように洗浄機４の底面の前面、後面、両側面に突設された取付け板４４を設け、それら取付け板４４に長孔４５が開口されている。
【００４３】
図６（ｂ）の支持台１３の上に洗浄機４を設置固定するには、載せ台３６の上に洗浄機４を載せ、載せ台３６の長孔３８と洗浄機４の取付け板４４の長孔４５を位置合わせして、両長孔３８、４５にボルトを差込んでナットで固定する。
【００４４】
洗浄機４及び被洗浄物引上げガイド６の取付け位置は図１７のように、船３の幅方向両側縁の前後４箇所のいずれか一以上の箇所とすることができる。洗浄機４が図１７のいずれかの箇所に設置された場合、被洗浄物引上げガイド６を船上から海上へ斜め下向きに突出させ、シュータ５０（図５、図１７）を船上から海上に突出させて、海中で養殖中の貝を被洗浄物引上げガイド６の上に引上げ、洗浄機４で洗浄してシュータ５０へ送り出し、海中へ戻すことができるようにしてある。海の潮流の向きが変わると船３の安定確保のために船３の向きを変えることがある。この場合、海上に突出させてある被洗浄物引上げガイド６及び洗浄機４がそのままの向きでは、海中の貝付きロープ２を引上げて洗浄機４に送り込みにくくなる。送り込み易くするためには、被洗浄物引上げガイド６及び洗浄機４の入口５と出口８の向きを変えるのが望ましい。洗浄機４の向きを変えるには、前記ナットの締付けを緩めてから洗浄機４を横方向に回動させてからナットを締付け直して固定する。このようにして洗浄機４の入口５と出口８の向きを変えると、貝付きロープ２を洗浄機４の入口５に送り込み易くなり、出口８に送り出し易くなる。洗浄機４（図１（ａ））を支持台１３の長孔３８、取付け板４４の長孔４５の長手方向にスライドさせて、船上から海上に突出する被洗浄物引上げガイド６（図１（ａ）、図１７）の位置を調節することもできる。
【００４５】
（被洗浄物引上げ洗浄装置の使用例１）
１．図１（ａ）のように洗浄機４を船上に設置した支持台１３の上に搭載して固定する。
２．図２のように被洗浄物引上げガイド６を略鉛直姿勢となるまで回転させて船上に収納してある状態で、船３を目的地（帆立貝耳吊り養殖場：圃場）まで走行させる。
３．被洗浄物引上げガイド６を所定の角度となるまで回転体１６ｂ回りに回転させて、船３の上から海上に向けて前傾させる。このとき、被洗浄物引上げガイド６の先端を海中まで入れることもできる。
４．貝付きロープ２の上端部を手作業で海中から引上げて被洗浄物引上げガイド６の外周に掛け、貝付きロープ２を洗浄機４の側面導入口４６から洗浄通路１０内に導入する。
５．前記状態で、モータなどの駆動装置によって、被洗浄物引上げガイド６の先端側の駆動回転体を強制回転させて、被洗浄物引上げガイド６の下走行体２０を矢印方向に回転させて、貝付きロープ２を被洗浄物引上げガイド６の傾斜に沿って引上げ、洗浄機４の側面導入口４６から搬送体７の洗浄通路１０内にセットする。
６．洗浄通路１０内で貝付きロープ２が下噴射体９ａ、上噴射体９ｂから噴射される洗浄液によって洗浄される。
７．洗浄済みの貝付きロープ２は洗浄機４の出口８からシュータ５０（図５、図１７）の上に送り出されて海中に戻して吊下げられる。
８．前記５〜７の繰り返しにより、多くの貝付きロープ２を引上げながら洗浄し、洗浄済みの貝付きロープ２を海中に戻して吊下げる。
９．前記洗浄作業中に海の潮の流れの方向が変化した時は、船３が安定するように船３の向きを変える。このとき、支持台１３の上に搭載固定してある洗浄機４の入口５及び出口８の向きを船３の向きに合わせて変えて、被洗浄物引上げガイド６から引上げられる貝付きロープ２が洗浄機４の入口５に円滑に送り込まれ（引込まれる）ようにする。
１０．貝付きロープ２の洗浄作業が終わると、図２のように、被洗浄物引上げガイド６を略鉛直姿勢に戻し、船内に収納させた状態で帰港する。
【００４６】
（被洗浄物引上げ洗浄装置の使用例２）
図１１（ａ）の被洗浄物引上げ洗浄装置の使用方法は基本的に図１（ａ）の被洗浄物引上げ洗浄装置の使用方法と同じである。異なるのは図１１（ａ）の被洗浄物引上げ洗浄装置のコンベア式の被洗浄物引上げガイド６が搬送体７と別体であるので、船上から海上に斜め下向きに突出させた被洗浄物引上げガイド６を下搬送体７ａと別に駆動させることである。
【００４７】
（被洗浄物引上げ洗浄装置の使用例３）
図１２（ａ）の被洗浄物引上げ洗浄装置の使用方法は、基本的に図１（ａ）の被洗浄物引上げ洗浄装置の使用方法と同じである。異なるのは図１２（ａ）の被洗浄物引上げ洗浄装置の被洗浄物引上げガイド６は船３に取付け、それを船上から海上に斜め下向きに突出させて使用することである。
【００４８】
（被洗浄物引上げ洗浄装置の使用例４）
１．図１４（ａ）の被洗浄物引上げ洗浄装置は被洗浄物引上げガイド６がスライド台であってコンベア式ではないため、この被洗浄物引上げ洗浄装置の使用に当たっては、海中から手作業で引上げた貝付きロープ２を、滑り台式の引上げガイド６、引上げ駆動体３５の上にセットし、更に、洗浄機４の側面に開口されている側面導入口４６（図６（ａ））から引込んで洗浄通路１０内にセットする。
２．前記状態で引上げ駆動体３５、洗浄機４の搬送体７を回転させて、貝付きロープ２を海中から引上げて、洗浄機４の噴射体９ａ、９ｂから噴射される洗浄液で洗浄する。
３．洗浄済みの貝付きロープ２は洗浄機４の出口８からシュータ５０（図５、図１７）の上に送り出されて海中に戻して吊下げる。
４．前記２、３の繰返しにより、多数本の貝付きロープ２を海中から引上げながら洗浄して、洗浄済みの貝付きロープ２を海中に戻して吊下げる。
５．前記洗浄作業中に海の潮の流れの方向が変化した時は、船３が安定するように船３の向きを変える。このときも支持台１３の上に搭載固定してある洗浄機４の入口５（図１（ａ））と出口８（図１（ａ））の向きを船の向きに合わせて変えて、被洗浄物引上げガイド６から引上げられる貝付きロープ２が洗浄機４の入口５に円滑に送り込まれ（引込まれる）ようにする。
６．貝付きロープ２の洗浄作業が終わると、図１５のように被洗浄物引上げガイド６を略鉛直姿勢に戻し、船内に収納させた状態で帰港する。
７．図１４（ｂ）の引上げ駆動体３５を設けない場合は、前記１において、海中から手作業で引上げた貝付きロープ２を、スライド台式の被洗浄物引上げガイド６の上にセットし、更に洗浄機４の側面に開口されている側面導入口４６（図６（ａ））から洗浄機４内に引込んで洗浄通路１０にセットし、洗浄機４の搬送体７の回転で貝付きロープ２を引込んで洗浄機４の出口８側に送り出すこともできる。
【００４９】
前記いずれの使用例も、貝付きロープ２を引上げて洗浄する場合であるが、本願発明の被洗浄物引上げ洗浄装置では、籠養殖中の貝入り籠、昆布、その他の海産物等を海中から引き上げながら洗浄することもできる。何れを洗浄する場合であって前記使用例はあくまでも一例であり、前記以外の方法で使用することもできる。前記何れの場合も、被洗浄物引上げガイド６の船上への収容は船３の鉛直方向上方ではなく、可能であれば、船内に収まるように収容することもできる。
【符号の説明】
【００５０】
１    貝類
２    貝付きロープ
３    船
４    洗浄機
５    洗浄機の入口（筺体の入口）
６    被洗浄物引上げガイド
７    洗浄機の搬送体
７ａ  下搬送体
７ｂ  上搬送体
８    洗浄機の出口（筺体の出口）
９ａ  下噴射体
９ｂ  上噴射体
１０    洗浄通路
１２    筐体
１３    支持台
１４    回転体
１４ａ  遮蔽具
１５    上走行体
１６    押しローラー
１６ａ  下側回転体
１６ｂ  入口側回転体（上側回転体）
１６ｃ  出口側回転体
１６ｄ  上側回転体
１７    係止片
１８    支持片
１９    スプリング
２０    下走行体
２０ａ  弛み防止具
２１    支持具
２２    アーム
２３    波状網
２３ａ  細幅板
２３ｂ  山
２３ｃ  谷
２４    滑り止め空間
２５    連結軸
２６    ベルト
２６ａ  滑り止め突起（角ブロック状）
２７    ベルトや薄板
２７ａ  横長突条
２７ｂ  横長凹部
２８    ベルト
２８ａ  滑り止め突起（Ｖ字形）
２８ｂ  滑り止め突起の開口側
２８ｃ  滑り止め突起の取付け片
３０    ベルト
３０ａ  滑り止め突起（Ｌ字形）
３０ｂ  滑り止め突起の取付け片
３２    取付けアーム
３３    ガイド走行体
３４    支持具
３５    引上げ駆動体（モータやエンジン等）
３６    載せ台
３７    支持脚
３８    長孔
３９    高さ調節機構
４０    連結具
４１    パイプ
４２    長さ調節機構
４３    宛板
４４    取付け板
４５    長孔
４６    側面導入口
４７    内側保持ガイド
４８    外側保持ガイド
５０    シュータ
【図１】
0005508907.tif 000002
【図２】
0005508907.tif 000003
【図３】
0005508907.tif 000004
【図４】
0005508907.tif 000005
【図５】
0005508907.tif 000006
【図６】
0005508907.tif 000007
【図７】
0005508907.tif 000008
【図８】
0005508907.tif 000009
【図９】
0005508907.tif 000010
【図１０】
0005508907.tif 000011
【図１１】
0005508907.tif 000012
【図１２】
0005508907.tif 000013
【図１３】
0005508907.tif 000014
【図１４】
0005508907.tif 000015
【図１５】
0005508907.tif 000016
【図１６】
0005508907.tif 000017
【図１７】
0005508907.tif 000018